(57)【要約】【課題】  プレゼンティティがウォッチャごとに異なるアクセス制御を施したために、プレゼンティティの異なる状態が各ウォッチャに同時に通知され、プレゼンティティによる情報操作が露呈してしまう場合がある。【解決手段】  プレゼンス情報管理部２２０に管理されているプレゼンス情報を取得して、当該プレゼンス情報と同一のプレゼンス情報をもつ二以上のウォッチャの状況を検出する検出部３２０と、検出した状況に応じて、前記ウォッチャに設定されているアクセス制御ポリシーを変更するポリシー設定部３１０を有するプレゼンスシステムを構築した。【選択図】  図１
2006318089.tif 000002
【特許請求の範囲】
【請求項１】
プレゼンスサービスを利用してプレゼンティティのプレゼンス情報を取得することにより当該プレゼンティティを監視する二以上のウォッチャの状況を判断する判断工程と、
当該判断に応じて、前記ウォッチャに設定されているアクセス制御ポリシーを変更する変更工程を有することを特徴とするアクセス制御ポリシー変更方法。
【請求項２】
前記判断工程において、二以上の前記ウォッチャの状況が同一または類似であると判断し、
前記変更工程において、前記アクセスポリシーを変更することを特徴とする請求項１に記載のアクセス制御ポリシー変更方法。
【請求項３】
前記変更工程において、二以上の前記ウォッチャに同一のアクセス制御ポリシーを設定することを特徴とする請求項１または２に記載のアクセス制御ポリシー変更方法。
【請求項４】
前記アクセス制御ポリシーは、変更前のアクセス制御ポリシーに優先度を割り当て、当該優先度の高いものであることを特徴とする請求項３に記載のアクセス制御ポリシー変更方法。
【請求項５】
前記アクセス制御ポリシーは、二以上の前記ウォッチャに優先度を割り当て、当該優先度の高いウォッチャに設定されていたものであることを特徴とする請求項３に記載のアクセス制御ポリシー変更方法。
【請求項６】
前記アクセス制御ポリシーは、二以上の前記ウォッチャに設定されていた二以上のアクセス制御ポリシーに基づき生成したものであることを特徴とする請求項３に記載のアクセス制御ポリシー変更方法。
【請求項７】
プレゼンティティのプレゼンス情報を管理するプレゼンス情報管理部と、
前記プレゼンティティのウォッチャに前記プレゼンス情報を配信するプレゼンス情報配信部と、
前記ウォッチャに関する情報を管理するウォッチャ情報管理部と、
前記ウォッチャに設定するアクセス制御ポリシーを管理するアクセス制御ポリシー管理部と、
前記プレゼンス情報を取得して、当該プレゼンス情報と同一のプレゼンス情報をもつ二以上のウォッチャの状況を検出する検出部と、
前記検出部の検出結果により、二以上の前記ウォッチャに施すアクセス制御ポリシーを設定するポリシー設定部を有し、
二以上のウォッチャの状況を判断し、前記ウォッチャに設定されているアクセス制御ポリシーを変更することを特徴とするプレゼンスシステム。
【請求項８】
前記プレゼンス情報管理部、前記プレゼンス情報配信部、前記ウォッチャ情報管理部、前記アクセス制御ポリシー管理部、前記検出部、前記ポリシー設定部を有するサーバをプレゼンスサーバとし、
プレゼンスサービスを利用するプレゼンスユーザエージェントをプレゼンスクライアントとする請求項７に記載のプレゼンスシステム。
【請求項９】
プレゼンスサービスを利用するプレゼンスユーザエージェントが前記検出部および前記ポリシー設定部を有し、
前記プレゼンスユーザエージェントのウォッチャは、当該ウォッチャが監視しているプレゼンティティのプレゼンス情報を管理するプレゼンスリスト情報管理部を有し、
前記検出部は前記プレゼンスリスト情報管理部よりプレゼンス情報を取得して、二以上のウォッチャの状況を判断し、前記ポリシー設定部により前記ウォッチャに設定されているアクセス制御ポリシーを変更することを特徴とする請求項７に記載のプレゼンスシステム。
【請求項１０】
請求項８または９に記載のプレゼンスユーザエージェントである情報通信端末。
【請求項１１】
コンピュータに、
プレゼンティティのプレゼンス情報を管理するプレゼンス情報管理部と、
前記プレゼンティティのウォッチャに前記プレゼンス情報を配信するプレゼンス情報配信部と、
前記ウォッチャに関する情報を管理するウォッチャ情報管理部と、
前記ウォッチャに設定するアクセス制御ポリシーを管理するアクセス制御ポリシー管理部と、
前記プレゼンス情報を取得して、当該プレゼンス情報と同一のプレゼンス情報をもつ二以上のウォッチャの状況を検出する検出部と、
前記検出部の検出結果により、二以上の前記ウォッチャに施すアクセス制御ポリシーを設定するポリシー設定部として機能させ、
二以上のウォッチャの状況を判断し、前記ウォッチャに設定されているアクセス制御ポリシーを変更するように実行させることを特徴とするプレゼンスシステムのプログラム。
【請求項１２】
請求項１１のプログラムを記録した記録媒体。
【発明の詳細な説明】
【技術分野】
【０００１】
この発明は、プレゼンスサービスを実現するプレゼンスシステムにおいて、あるプレゼンティティのウォッチャに対するアクセス制御に関するものである。
【背景技術】
【０００２】
プレゼンスサービスとは、ある情報通信端末を有する各ユーザの状態（当該ユーザの位置、情報通信端末の通信状態がオンラインであるかオフラインであるか等といった状態）を管理するためのサービス一般を指す。かかるサービスはプレゼンスシステムを構築することにより実現されている。プレゼンスシステムの基本的なアーキテクチャは、ＲＦＣ２７７８に示されている。プレゼンスシステムでは、自分のプレゼンス情報を提供するプレゼンティティとそれを監視するウォッチャを有するプレゼンスユーザエージェント部、および、プレゼンティティからプレゼンス情報を受け取り、これをウォッチャに配信するプレゼンスサービス部が設けられている。
【０００３】
一般的に、ウォッチャは状態を監視する対象である、プレゼンスサービスを利用するユーザのプレゼンティティの一覧であるバディリストを有している。そのため、プレゼンスサービスを利用すると、ウォッチャは各プレゼンティティの状態をモニタリングすることができる。ここで、ウォッチャに通知されるプレゼンティティの状態は、アクセス制御ポリシーによりプレゼンティティが各ウォッチャに通知することを許可した情報である。すなわち、プレゼンティティの状態は、当該プレゼンティティが各ウォッチャへの状態通知を許可している場合にのみ通知される。また、通知されるプレゼンティティの状態は、当該プレゼンティティが各ウォッチャへの状態通知を許可した内容だけであり、当該プレゼンティティが指定した変換を施したものに相当する。
【０００４】
なお、特許文献１にはプレゼンスサービスに関する発明として、「状況管理装置及び状況管理方法」が開示されている。この発明では、該状況管理装置内もしくはネットワーク上に存在する変換規則に従って、装置内もしくはネットワーク上に存在する時間イベントデータから通信相手のプレゼンスの時間的変化を予測し、この予測結果を通信相手と交換し、より効率的なコミュニケーションや状況提示を実現している。
【特許文献１】特開２００５−０５０２６９号公報
【発明の開示】
【発明が解決しようとする課題】
【０００５】
アクセス制御ポリシーを設定することにより、プレゼンティティが自分の状態を開示したくないウォッチャに対し、状態が通知されることを防ぐことができ、プレゼンティティのプライバシーを保護することができる。このとき、アクセス制御ポリシーにより本来の状態が通知されていないことをウォッチャに知らせないようにすることもできる。これをポライト・ブロッキングという。このような設定されたポリシーに対するアクセス制御は一般的に、ウォッチャ間の関係に依らず行われている。一方、プレゼンスサービスでは、あるプレゼンティティの複数のウォッチャが当該プレゼンティティに関してプレゼンスサービスから通知された情報を簡単に共有できてしまう場合がある。例えば、あるプレゼンティティの状態を監視している複数のウォッチャが互いに近距離にいるなどといった事由から、ウォッチャ同士でプレゼンティティの状態を交換できるような状況になる場合がある。
【０００６】
しかし、そのような場合においてプレゼンティティがウォッチャごとに異なるアクセス制御を施したために、プレゼンティティの異なる状態が各ウォッチャに同時に通知されることになる。これにより、各ウォッチャがその異なる状態を認識してしまう可能性がある。これでは、プレゼンティティの何れかが偽の情報であったり、プレゼンティティの一部の情報しか通知されていないことが露呈してしまい、プレゼンスサービスにおける、ポライト・ブロッキングの意義が失われてしまう。
【０００７】
特許文献１に開示された技術を用いた場合、上記変換規則がアクセス制御ポリシー設定に関するものであったとしても、所詮プレゼンスの時間的変化を予測するだけであり、ウォッチャの時間的変化まで予測するものではない。これでは例えば、各ウォッチャが近づくという時間的予測もせず、結果的にプレゼンティティの異なる状態を認識してしまう可能性がある。したがって、特許文献１の技術を用いたとしても上記事情を解消するには至らない。
【課題を解決するための手段】
【０００８】
上記課題を解決する本発明の態様は、プレゼンスサービスを利用してプレゼンティティのプレゼンス情報を取得することにより当該プレゼンティティを監視する二以上のウォッチャの状況を判断する判断工程と、当該判断に応じて、前記ウォッチャに設定されているアクセス制御ポリシーを変更する変更工程を有することを特徴とするアクセス制御ポリシー変更方法に関するものである。
【０００９】
ここで、前記判断工程において、二以上の前記ウォッチャの状況が同一または類似であると判断し、前記変更工程において、前記アクセスポリシーを変更することを特徴とする。
【００１０】
また、前記変更工程において、二以上の前記ウォッチャに同一のアクセス制御ポリシーを設定することを特徴とする。ただ、前記アクセス制御ポリシーは、変更前のアクセス制御ポリシーに優先度を割り当て、当該優先度の高いものであると良い。また、前記アクセス制御ポリシーは、二以上の前記ウォッチャに優先度を割り当て、当該優先度の高いウォッチャに設定されていたものであると良い。また、前記アクセス制御ポリシーは、二以上の前記ウォッチャに設定されていた二以上のアクセス制御ポリシーに基づき生成したものであると良い。
【００１１】
本発明の他の態様は、プレゼンティティのプレゼンス情報を管理するプレゼンス情報管理部と、前記プレゼンティティのウォッチャに前記プレゼンス情報を配信するプレゼンス情報配信部と、前記ウォッチャに関する情報を管理するウォッチャ情報管理部と、前記ウォッチャに設定するアクセス制御ポリシーを管理するアクセス制御ポリシー管理部と、前記プレゼンス情報を取得して、当該プレゼンス情報と同一のプレゼンス情報をもつ二以上のウォッチャの状況を検出する検出部と、前記検出部の検出結果により、二以上の前記ウォッチャに施すアクセス制御ポリシーを設定するポリシー設定部を有し、二以上のウォッチャの状況を判断し、前記ウォッチャに設定されているアクセス制御ポリシーを変更することを特徴とするプレゼンスシステムに関するものである。
【００１２】
ここで、このプレゼンスシステムは、前記プレゼンス情報管理部、前記プレゼンス情報配信部、前記ウォッチャ情報管理部、前記アクセス制御ポリシー管理部、前記検出部、前記ポリシー設定部を有するサーバをプレゼンスサーバとし、プレゼンスサービスを利用するプレゼンスユーザエージェントをプレゼンスクライアントとすると良い。
【００１３】
また、このプレゼンスシステムは、プレゼンスサービスを利用するプレゼンスユーザエージェントが前記検出部および前記ポリシー設定部を有し、前記プレゼンスユーザエージェントのウォッチャは、当該ウォッチャが監視しているプレゼンティティのプレゼンス情報を管理するプレゼンスリスト情報管理部を有し、前記検出部は前記プレゼンスリスト情報管理部よりプレゼンス情報を取得して、二以上のウォッチャの状況を判断し、前記ポリシー設定部により前記ウォッチャに設定されているアクセス制御ポリシーを変更することを特徴とする。
【００１４】
また、本発明の他の態様は、上記プレゼンスユーザエージェントである情報通信端末に関するものである。
【００１５】
また、本発明の他の態様は、コンピュータに、プレゼンティティのプレゼンス情報を管理するプレゼンス情報管理部と、前記プレゼンティティのウォッチャに前記プレゼンス情報を配信するプレゼンス情報配信部と、前記ウォッチャに関する情報を管理するウォッチャ情報管理部と、前記ウォッチャに設定するアクセス制御ポリシーを管理するアクセス制御ポリシー管理部と、前記プレゼンス情報を取得して、当該プレゼンス情報と同一のプレゼンス情報をもつ二以上のウォッチャの状況を検出する検出部と、前記検出部の検出結果により、二以上の前記ウォッチャに施すアクセス制御ポリシーを設定するポリシー設定部として機能させ、二以上のウォッチャの状況を判断し、前記ウォッチャに設定されているアクセス制御ポリシーを変更するように実行させることを特徴とするプレゼンスシステムのプログラムに関するものである。
【００１６】
また、本発明の他の態様は、上記プログラムを記録した記録媒体に関するものである。
【発明の効果】
【００１７】
本発明では、あるプレゼンティティの状態を監視している複数のウォッチャが各々プレゼンティティの状態を交換できるような状況であっても、そのようなウォッチャ同士の関係も把握する手段を有している。従って、アクセス制御ポリシーの変更にあたり、プレゼンティティが、各ウォッチャに異なるアクセス制御を行っていることが露呈してしまうのを防ぐことができ、ポライト・ブロッキングを有効に活用することができる。
【発明を実施するための最良の形態】
【００１８】
以下、本発明のアクセス制御ポリシー変更方法等を実施するための最良の形態を説明する。説明する際には、本明細書と同時に提出する図面を参照することにする。
【００１９】
図１は、本形態のプレゼンスシステムの構成を表すブロック図である。このプレゼンスシステムはプレゼンスユーザエージェント部１００、プレゼンスサービス部２００、アクセス制御ポリシー変更部３００を有している。そして、図示しないが、このプレゼンスシステムはこれらの各部が行う動作を中央処理制御するＣＰＵ(Central Processing Unit)、および、当該ＣＰＵが中央処理制御を行うときに読み出すプログラムを管理するＲＯＭ(Read Only Memory)を有している。
【００２０】
プレゼンスユーザエージェント部１００はプレゼンスサービスを利用するユーザが有する携帯電話機のような情報通信端末により構成されている。各ユーザは通常のプレゼンスサービスにおけるプレゼンティティとウォッチャを有している。説明の便宜上、本形態ではユーザとしてユーザＸ、ユーザＡ、ユーザＢを採りあげる。そして、ユーザＸはプレゼンティティであり、ユーザＡ、ユーザＢはユーザＸのウォッチャであるとする。
【００２１】
プレゼンスサービス部２００はプレゼンスユーザエージェント部１００のユーザにプレゼンスサービスを提供するように機能し、プレゼンス情報配信部２１０、プレゼンス情報管理部２２０、アクセス制御ポリシー管理部２３０、ウォッチャ情報管理部２４０を有して構成されている。
【００２２】
プレゼンス情報配信部２１０はプレゼンティティのプレゼンス情報をウォッチャに配信する。プレゼンス情報管理部２２０はプレゼンティティのプレゼンス情報を管理する。アクセス制御ポリシー管理部２３０はウォッチャに配信するプレゼンス情報に何らかの制限をかけるアクセス制御ポリシーを管理する。ウォッチャ情報管理部２４０はプレゼンスサービスを提供時点で、プレゼンティティを監視しているウォッチャに関する情報（ウォッチャの位置、どのプレゼンティティのプレゼンス情報を取得しているのか、同一のアクセス制御ポリシーが設定されたウォッチャ等といった情報）を管理する。
【００２３】
ウォッチャにプレゼンティティの状態（プレゼンティティの位置、通信状態がオンラインであるかオフラインであるか等といった状態）を通知する際には、プレゼンス情報配信部２１０により、プレゼンス情報管理部２２０が管理するプレゼンス情報をアクセス制御ポリシー管理部２３０が管理するアクセス制御ポリシーに基いて配信する。その際、アクセス制御ポリシーを設定したウォッチャをウォッチャ情報管理部２４０において管理し、各ウォッチャ（ユーザＡ、ユーザＢ）間の状況を把握する。
【００２４】
アクセス制御ポリシー変更部３００は所定条件下、プレゼンスサービスにおけるアクセス制御ポリシーを変更するように機能し、ポリシー設定部３１０、検出部３２０を有して構成されている。
【００２５】
ポリシー設定部３１０はプレゼンスユーザエージェント部１００のウォッチャ群に施すアクセス制御ポリシーを設定する。設定する際にはアクセス制御ポリシー管理部２３０に当該ポリシーの情報を送信する。
【００２６】
検出部３２０はウォッチャ情報管理部２４０で管理されるウォッチャと同一のプレゼンスユーザエージェントに属するプレゼンティティのプレゼンス情報をプレゼンス情報管理部２２０より取得してプレゼンスユーザエージェント部１００における状況（例えば同一のプレゼンス情報をもつプレゼンスユーザエージェントは何かなど）を検出する。その検出結果をポリシー設定部３１０に送信する。
【００２７】
検出部３２０において、ウォッチャと同一のプレゼンスユーザエージェント部に属するプレゼンティティのプレゼンス情報を取得し、同一のプレゼンス情報をもつプレゼンスユーザエージェントのウォッチャ群が検出される。そして、ポリシー設定部３１０は、検出部３２０により同一のプレゼンス情報をもつと検出されたプレゼンスユーザエージェントのウォッチャ群に対し、同一のアクセス制御ポリシーを設定する。
【００２８】
同一のアクセス制御ポリシーの設定を行うにあたり、ウォッチャ情報管理部２４０より取得できるウォッチャ群の状況を設定の判断基準にする。例えば、ウォッチャ同士が互いに隣り合っていて、そのウォッチャの状況が同一であると判断したときに同一のアクセス制御ポリシーの設定を行うと良い。また、ウォッチャ同士が隣り合っていないものの、所定領域内にいて、そのウォッチャの状況が類似していると判断できるときに同一のアクセス制御ポリシーの設定を行うと良い。なお、ウォッチャの状況が同一であるか類似であるかといった判断は上記のようにウォッチャ同士の距離に基くものでなくても良い。
【００２９】
その一方で検出部３２０において、同一のアクセス制御ポリシーを設定したウォッチャを記憶しておき、それらのウォッチャと同一のプレゼンスユーザエージェントに属するプレゼンティティのプレゼンス情報が異なる状態になったことが検出される。そして、ポリシー設定部３１０は、同一のアクセス制御ポリシーを設定したウォッチャに対する元のアクセス制御ポリシーを記憶しておき、検出部３２０により上記異なる状態になったことが検出された場合には、元のポリシーに設定し直す。
【００３０】
適用するアクセス制御ポリシーの選択は、元のアクセス制御ポリシーのうち、優先度の高いものを採用する方法をとると良い。また、ウォッチャに優先度を割り当て、優先度が高いウォッチャに設定されたアクセス制御ポリシーを採用する方法をとると良い。また、予め設定された規則に基づき、複数のアクセス制御ポリシーから新しいアクセス制御ポリシーを生成する方法をとると良い。
【００３１】
図２は、本形態のプレゼンスシステムがサーバ集中管理モデルである場合の構成を表すブロック図である。プレゼンスサービスを利用するプレゼンスユーザエージェント部１００をプレゼンスクライアントとし、プレゼンスサービス部２００およびアクセス制御ポリシー変更部３００をプレゼンスサーバとしている。つまり、プレゼンスサービスを提供する手段をサーバが集中管理している構成である。以下、この構成におけるアクセス制御ポリシー変更方法の動作を、図３を参照しつつ説明する。図３ではプレゼンティティであるユーザＸと、それを監視するウォッチャであるユーザＡ、ユーザＢがいて、プレゼンス情報などの情報を送受信している様子が図示されている。ユーザＸのプレゼンティティＸｐはユーザＡのウォッチャＡｗとユーザＢのウォッチャＢｗにプレゼンス情報を送信してユーザＸの状態を通知している。通知する際にはユーザＡおよびユーザＢに対するアクセス制御ポリシーに従う。なお、その一方で、ユーザＸのウォッチャＸｗがユーザＡ、ユーザＢのプレゼンティティＡｐ、Ｂｐに対し所定の情報を送信し、ユーザＡ、ユーザＢの状態を監視することもできる。
【００３２】
まず、プレゼンティティＸｐが、プレゼンスサーバに対し、プレゼンス情報を所定間隔で発行する。発行したプレゼンス情報はプレゼンス情報管理部２２０で管理される。
【００３３】
ユーザＸが移動するなどして、プレゼンス情報が変更されると、プレゼンス情報配信部２１０は、アクセス制御ポリシー管理部２３０で管理されるアクセス制御ポリシーに基づき決定されるプレゼンス情報を、プレゼンティティのプレゼンス情報を監視するウォッチャＡｗとＢｗに対し配信する。この場合、ＡｗとＢｗには、異なる状態が、Ｘｐのプレゼンス情報として通知される。その一方で、プレゼンティティＡｐとＢｐの状態も、プレゼンスサーバのプレゼンス情報管理部２２０で管理される。
【００３４】
プレゼンティティＡｐとＢｐが互いに接近するなどして同じ状態になると、その状態が検出部３２０で検出され、ポリシー設定部３１０に通知がおこなわれる。ポリシー設定部３１０は、アクセス制御ポリシー管理部２３０で管理されるＡｗとＢｗに対するＸｐのポリシーのうち、優先度の高いポリシーを選択し、ユーザＡ、ユーザＢ両者に同じポリシーを設定する。同様にウォッチャ情報管理部２４０にも通知され、ウォッチャＡｗとＢｗの状況を把握する。そのとき、ウォッチャ同士でプレゼンティティＸｐの状態を交換できる状況にあるものと判断する。
【００３５】
プレゼンス情報配信部２１０は、アクセス制御ポリシーが変更されると、変更されたアクセス制御ポリシーに基づき決定されるプレゼンス情報をプレゼンティティＸｐのプレゼンス情報を監視するウォッチャＡｗとＢｗに対し配信する。この場合、ＡｗとＢｗには、同じ状態が、Ｘｐのプレゼンス情報として通知される。
【００３６】
プレゼンティティＡｐとＢｐが離れるなどして再び異なる状態になると、その状態が検出部３２０で検出され、ポリシー設定部３１０に通知がおこなわれる。ポリシー設定部３１０は、アクセス制御ポリシー管理部２３０で管理されるＡｗとＢｗに対するＸｐのポリシーを、それぞれ元のポリシーに設定し直す。同様にウォッチャ情報管理部２４０にも通知され、ウォッチャＡｗとＢｗの状況を把握する。そのとき、ウォッチャ同士でプレゼンティティＸｐの状態を交換できなくなった状況にあるものと判断する。
【００３７】
プレゼンス情報配信部２１０は、アクセス制御ポリシーが変更されると、アクセス制御ポリシー管理部２３０で管理されるアクセス制御ポリシーに基づき決定されるプレゼンス情報をプレゼンティティのプレゼンス情報を監視するウォッチャＡｗとＢｗに対し配信する。この場合、ＡｗとＢｗには、異なる状態が、Ｘｐのプレゼンス情報として通知される。
【００３８】
なお、この説明ではウォッチャとなるユーザが２人の場合について説明したが、ウォッチャは何人でもよい。また、アクセス制御ポリシーによっては、プレゼンス情報の通知がおこなわれないようにしても良い。
【００３９】
以上の動作を行うことにより、あるプレゼンティティの状態を監視している複数のウォッチャが、ウォッチャ同士でプレゼンティティの状態を交換できるような状況であっても、プレゼンティティが、ウォッチャに情報操作した内容を通知していることが露呈してしまうのを防ぐことができ、ポライト・ブロッキングを有効に活用することができる。ウォッチャ同士の関係も把握しているからである。
【００４０】
なお、上述した形態は本発明を実施するための最良のものであるがこれに限定する趣旨ではない。従って、本発明の要旨を変更しない範囲において種々変形することが可能である。
【００４１】
その変形した形態として、例えば、アクセス制御ポリシー変更部３００をプレゼンスクライアント側に設けたものがある。図４にその構成を示す。図４はプレゼンスサービス部２００がプレゼンスサーバに設けられているサーバ集中管理モデルである。ここでプレゼンスユーザエージェント部１００の各ユーザにおいて、ウォッチャはプレゼンスリスト情報管理部１１０を有している。また、プレゼンティティはウォッチャ情報管理部１２０を有している。
【００４２】
プレゼンスリスト情報管理部１１０はいわゆるバディリストであり、ウォッチャが監視しているプレゼンティティ群の状態をプレゼンス情報として管理している。これは、ウォッチャとして一般的な機能である。
【００４３】
ウォッチャ情報管理部１２０はウォッチャ情報管理部２４０の情報のうち、当該プレゼンティティのウォッチャの情報だけを複製管理するものであり、プレゼンティティとして一般的な機能である。
【００４４】
この構成では、検出部３２０は、プレゼンス情報管理部２２０ではなく、自身のウォッチャ内のプレゼンスリスト情報管理部１１０を参照し、それから、他のプレゼンティティの情報を取得する。また、ウォッチャ情報管理部２４０ではなく、ウォッチャ情報管理部１２０を参照する。このような構成に留意すれば、アクセス制御ポリシー変更方法の動作は上記と同様になる。
【００４５】
また、変形した別の形態として、プレゼンスサービスをいわゆる分散管理モデルにしたものがある。図５にその構成を示す。プレゼンスサービス部２００、アクセス制御ポリシー変更部３００が有する構成をプレゼンスクライアントが有している。そして、プレゼンスサービス部２００が有していた各部はプレゼンティティが有している。
【００４６】
この構成では、検出部３２０は、他のプレゼンティティに対するプレゼンス情報管理部を参照するのではなく、自身のウォッチャ内のプレゼンスリスト情報管理部１１０から、他のプレゼンティティの情報を取得する。また、ウォッチャ情報管理部２４０ではなく、プレゼンティティが有しているウォッチャ情報管理部１２０を参照する。このような構成に留意すれば、アクセス制御ポリシー変更方法の動作は上記と同様になる。
【００４７】
プレゼンスシステムの構築において、プレゼンスサーバの構成を拡張するよりも、プレゼンスクライアントの構成を拡張したほうが設計は行いやすい。プレゼンスサービスの提供を行うためにプレゼンスサービス部２００、アクセス制御ポリシー変更部３００の構成を追加することによりシステムの規模を拡張する必要が生じる。そのときは、それらの構成をプレゼンスサーバよりもプレゼンスクライアントに設けると設計上負担が少なくなる。
【図面の簡単な説明】
【００４８】
【図１】本形態のプレゼンスシステムの構成を表すブロック図である。
【図２】本形態のプレゼンスシステムがサーバ集中管理モデルである場合の構成を表すブロック図である。
【図３】本形態のプレゼンスシステムにおける動作を説明するための図である。
【図４】本形態のプレゼンスシステムの他の構成を表すブロック図である。
【図５】本形態のプレゼンスシステムが分散管理モデルである場合の構成を表すブロック図である。
【符号の説明】
【００４９】
１００    プレゼンスユーザエージェント部
１１０    プレゼンスリスト情報管理部
１２０    ウォッチャ情報管理部
２００    プレゼンスサービス部
２１０    プレゼンス情報配信部
２２０    プレゼンス情報管理部
２３０    アクセス制御ポリシー管理部
２４０    ウォッチャ情報管理部
３００    アクセス制御ポリシー変更部
３１０    ポリシー設定部
３２０    検出部
【図１】
2006318089.tif 000003
【図２】
2006318089.tif 000004
【図３】
2006318089.tif 000005
【図４】
2006318089.tif 000006
【図５】
2006318089.tif 000007